(57)【要約】【課題】ＬＥＤからの放射光を集光させた後に反射鏡に向けて放射させることができる点光源のＬＥＤ光源等を提供すること。【解決手段】ＬＥＤが配置された光源ユニットと、光源ユニットからの光が入射される導光体と、導光体によって導かれた光を反射鏡に向けて放射する放射体とを備える。この構成によって、集光させたＬＥＤからの光を反射鏡に向けて放射させることができ、多数のＬＥＤからの光を点光源として利用することができる。【選択図】図１
2005327660.tif 000002
【特許請求の範囲】
【請求項１】
反射鏡と、
ＬＥＤが配置された光源ユニットと、
前記光源ユニットからの光が入射される導光体と、
前記導光体によって導かれた光を前記反射鏡に向けて放射する放射体と、
を備える、ＬＥＤ照明器具。
【請求項２】
前記放射体は、略球形状である、請求項１に記載のＬＥＤ照明器具。
【請求項３】
前記放射体は、前記導光体によって導かれた光を散乱させる散乱処理が施されている、請求項１に記載のＬＥＤ照明器具。
【請求項４】
前記拡散処理は、前記放射体の表面に施された凹凸処理である、請求項３に記載のＬＥＤ照明器具。
【請求項５】
前記放射体は、前記導光体からの光に対して透明であり、前記導光体からの光を反射して前記反射鏡に反射させる反射構造を有している、請求項１に記載のＬＥＤ照明器具。
【請求項６】
前記導光体の前記光源ユニットから前記放射体に向けて細くなる形状は、当該導光体内部に向いた凹んだ形状である、請求項１に記載のＬＥＤ照明器具。
【請求項７】
請求項１から６までの何れか一つに記載のＬＥＤ照明器具と、
前記ＬＥＤ照明器具からの光が照射される、デジタルマイクロミラーデバイスおよび液晶表示素子からなる群から選択される画像表示素子と、
前記画像表示素子からの光を結像するレンズとを備える、画像表示装置。
【請求項８】
ＬＥＤが配置された光源ユニットと、
前記光源ユニットからの光が入射される導光体と、
前記導光体によって導かれた光を反射鏡に向けて放射する放射体と、
を備えるＬＥＤ光源。
【発明の詳細な説明】
【技術分野】
【０００１】
本発明はＬＥＤ（Light-Emitting Diode：発光ダイオード）を使用したＬＥＤ光源に関し、特に反射鏡とを組み合わせた場合に非常に高い集光効率で輝度の高い点光源を実現するＬＥＤ光源に関する。
【背景技術】
【０００２】
ＬＥＤからの放射光を反射鏡で集光する従来の照明装置として、図１６に示す照明装置が提案されている（特許文献１）。図１６の照明装置は、反射鏡１６３の焦点１６４から等距離１６５で、その主光軸が焦点１６４を通るように、複数の発光ダイオード１６１を配設する。この構成によって、発光ダイオード１は焦点１６４上に仮想される理想的な点光源と等価なものになり、反射鏡１６３で反射される光源を理想的な平行光線にできる。
【０００３】
また、歯科用光照射器において、ＬＥＤを用いて光効率を高める技術が開示されている（特許文献２）。図８の歯科用光照射器は、ＬＥＤ１７６からの光を導光体１７１の中心軸上のｆ点に集中させた後、導光路１７４ａを介して照射面１７５から光重合レンジへ照射される。
【特許文献１】実開昭６２−２３００３号公報（要約書を参照）
【特許文献２】特開平９−１０２３８号公報（図１、段落番号０００９から００１２参照）
【発明の開示】
【発明が解決しようとする課題】
【０００４】
しかしながら、特許文献１の構成ではＬＥＤを、焦点と等間隔に配置する必要があるため、ＬＥＤの集合体が大きくなる。その結果、反射鏡が大きくなってしまい、光学系全体が大きくなってしまうという欠点がある。さらに大光量を得ようとすれば、多くのＬＥＤを集結することになるため、ＬＥＤの集合体が大きくなってしまう。例えば、液晶プロジェクタ等の用途に使用する場合、光学系や反射鏡が大きくなると、プロジェクタの筐体が大型化して実用的ではない。さらに、特許文献１では、ＬＥＤの集合体を反射鏡内に設置するので、ＬＥＤを設置した部分は反射鏡内で影となる。この影は、光の取り出し効率を低下させる。
【０００５】
特許文献２の構成ではＬＥＤからの光を集光できる。しかし、集光した光は光重合レンジの硬化のために使用されるので、照射方向は一方向であり、反射鏡などと組み合わせて光路をコントロールする技術的思想はなかった。
【０００６】
本発明は、上記課題を解決するためになされ、その目的とするところは、ＬＥＤからの放射光を集光させた後に反射鏡に向けて放射させることができる点光源のＬＥＤ光源等を提供することにある。
【課題を解決するための手段】
【０００７】
上記課題を解決するために、本発明のＬＥＤ照明器具は、反射鏡と、ＬＥＤが配置された光源ユニットと、前記光源ユニットからの光が入射される導光体と、前記導光体によって導かれた光を前記反射鏡に向けて放射する放射体と、を備える。
【０００８】
好適な実施形態として、前記放射体は、略球形状である。
【０００９】
好適な実施形態として、前記放射体は、前記導光体によって導かれた光を散乱させる散乱処理が施されている。
【００１０】
好適な実施形態として、前記拡散処理は、前記放射体の表面に施された凹凸処理である。
【００１１】
好適な実施形態として、前記放射体は、前記導光体からの光に対して透明であり、前記導光体からの光を反射して前記反射鏡に反射させる反射構造を有している。
【００１２】
好適な実施形態として、前記導光体の前記光源ユニットから前記放射体に向けて細くなる形状は、当該導光体内部に向いた凹んだ形状である。
【００１３】
本発明の画像表示装置は、上記の何れか一つに記載のＬＥＤ照明器具と、前記ＬＥＤ照明器具からの光が照射される、デジタルマイクロミラーデバイスおよび液晶表示素子からなる群から選択される画像表示素子と、前記画像表示素子からの光を結像するレンズとを備える。
【００１４】
本発明のＬＥＤ光源は、ＬＥＤが配置された光源ユニットと、前記光源ユニットからの光が入射される導光体と、前記導光体によって導かれた光を反射鏡に向けて放射する放射体と、を備える。
【発明の効果】
【００１５】
以上のように、本願発明のＬＥＤ光源は、ＬＥＤが配置された光源ユニットと、光源ユニットからの光が入射される導光体と、導光体によって導かれた光を反射鏡に向けて放射する放射体とを備える。この構成によって、集光させたＬＥＤからの光を反射鏡に向けて放射させることができ、多数のＬＥＤからの光を点光源として利用することができる。
【発明を実施するための最良の形態】
【００１６】
以下、本発明の実施形態を、図面を参照しながら説明する。
【００１７】
（実施形態１）
図１は、実施の形態１に示すＬＥＤ光源１００の模式図である。図１（ａ）は、ＬＥＤ光源１００の斜視図であり、図１（ｂ）は図１（ａ）の矢印Ａ方向から見た側面図である。図２は、図１（ｂ）のＩ−Ｉ線の断面図を示す。
【００１８】
ＬＥＤ光源１００は、ＬＥＤが配置された光源ユニット１１と、光源ユニット１１から放射されたＬＥＤからの光が入射する導光体１４と、導光体１４によって導かれたＬＥＤからの光が入射する放射体１３とを備える。
【００１９】
本実施形態では、導光体１４と放射体１３とは、同一の材料で継ぎ目がなく形成されている。導光体１４は透光性の高いアクリルや石英ガラスやソーダガラスなどを材料として使用できる。本実施形態では、加工性に優れたアクリル樹脂を用いた。なお、ＬＥＤからの熱や短波長光による劣化を防止する点からは、導光体１４としてガラスを使用することが好ましい。また、導光体１４は、光源ユニット１１から放射体１３への向かうにつれて細くなる形状を有している。本実施形態では、光源ユニット１１から放射体１３に向けて細くなる導光体１４の形状は、導光体１４の内部に向いた方向に凹んだ形状とした。すなわち、導光体１４はトランペットのような形状とした。本実施の形態の場合、光源ユニット１１側の導光体１４の面の大きさは５０×５０ｍｍである。
【００２０】
導光体１４の表面のうち、光源ユニット１１からの光の入射部分と出射部分以外には、鏡面加工が施された反射膜１５が形成されている。ここで、「鏡面加工」とは、反射率の高い材料で、表面に膜等を形成し導光体１４内部の光が外部に透過せず、内部に反射する機能を有するものを指す。本実施形態では、アルミニウムの膜が形成されている。なお、反射膜１５は、乱反射面ではなく、正反射面のように、散乱光が少ない面のほうが好ましい。
【００２１】
放射体１３は、反射鏡が取り付けられたことを想定して、導光体１４から導かれたＬＥＤの光を反射鏡の方へ放射する構造を採用している。本実施形態では、放射体１３は、直径が１ｍｍの略球形状である。また、放射体１３と導光体１４との境界の断面は、直径０．５ｍｍの大きさである。また、放射体１３の表面は、放射体１３の少なくとも反射鏡への光を含むように四方八方に光が拡散するように、細かな凹凸が連続する形状（磨りガラス）となっている。
【００２２】
図３に光源ユニット１１の模式的な斜視図を示す。光源ユニット１１は、ＬＥＤが複数配置されたＬＥＤモジュール３１を、複数を配置して形成される。本実施形態では、ＬＥＤモジュール３１は、５行５列で２５個のモジュールが並べてある。ＬＥＤモジュール３１は、１個１０ｍｍ角である。
【００２３】
図４にＬＥＤモジュール３１の拡大図を示す。図４（ａ）はＬＥＤモジュール３１の上面図である。図４（ｂ）は図４（ａ）のＩＩ−ＩＩ線の断面図である。本実施形態では、１０ｍｍ角のＬＥＤモジュール３１は、１つのモジュールの基板４２上に０．３ｍｍ角のＬＥＤチップ４１が４行４列で１６個個実装されている。基板４２は、アルミニウムや銅やセラミックのような熱伝導率の高い材料が実用的である。本実施形態では、Ａｌを主としたコンポジット基板を使用した。また、ＬＥＤチップ４１は、黄色蛍光体で覆われた青色ＬＥＤのチップや赤色・緑色・青色ＬＥＤを用いることができる。本実施形態では、白色の光を放射させるため、黄色蛍光体で覆われた青色ＬＥＤのチップを用いた。また、ＬＥＤチップと基板４２との接合は、ワイヤーボンディングによる実装やフリップチップ実装が採用できる。本実施形態では、フリップチップ実装を用いた。また、それぞれのＬＥＤチップ４１は、シリコーン樹脂で封止されている（不図示）。
【００２４】
０．３ｍｍ角程度のＬＥＤチップ４１を使用した場合、実装基板面積あたり１０〜１００個／ｃｍ２程度の密度で実装できる。このとき、ＬＥＤ１個あたりの定格電力を０．１Ｗとすれば、１〜１０Ｗ／ｃｍ２程度の電力密度となる。なお、１ｍｍ角程度のＬＥＤチップを使用した場合は、実装基板面積あたり１〜１０個／ｃｍ２程度の密度で実装されている。ＬＥＤ１個あたりの定格電力を１Ｗとすれば、１〜１０Ｗ／ｃｍ２程度の電力密度となる。本実施の形態の場合は、０．３ｍｍ角のＬＥＤチップ４１を１６個／ｃｍ２の密度で実装している。
【００２５】
個々のＬＥＤチップの周辺には、反射板４３が設置されている。反射板４２は、ＬＥＤチップ４１からの光線４４を、導光体１４に向けて反射させるため、反射板凹面４３ｂは鏡面仕上げされいる。さらに、基板４２に対向する反射鏡上面４３ａも鏡面仕上げされている。反射鏡上面４３ａも鏡面仕上げすることにより、導光体１４の反射膜１５から反射されて光源ユニット１１へ戻ってきた光線を再び導光体１４に反射させることができ、より多くの光を放射体１３へ導光させることができる。
【００２６】
図７にＬＥＤ光源１００の点灯回路を示す。光源ユニット１１は、第１ＬＥＤモジュール７５ａから第２５ＬＥＤモジュール７５ｙまでで構成されている。第１ＬＥＤモジュール７５ａから第２５ＬＥＤモジュール７５ｙには、第１定電流回路７４ａから第２５定電流回路７４ｙまでがそれぞれ接続されている。第１定電流回路７４ａから第２５定電流回路７４ｙは、電圧降圧回路７３に接続されている。電圧降圧回路７３は、整流平滑回路７２に接続されている。整流平滑回路７２には商用電源７１が接続されている。
【００２７】
図８に第１ＬＥＤモジュール７５ａの回路図を示す。第１ＬＥＤモジュール７５ａは、ＬＥＤチップ４１が同整流方向に１６個直列接続されている。第２ＬＥＤモジュール７５ｂから第２５ＬＥＤモジュール７５ｙまでの回路構成も、第１ＬＥＤモジュール７５ａと同じ構成である。
【００２８】
以上のように構成されたＬＥＤ光源１００の動作について以下に説明する。
【００２９】
ＬＥＤ光源１００は、図７の回路によって点灯される。商用電源７１からの電圧は、整流平滑回路７２によって整流および平滑される。電圧降圧回路７３に入力された整流・平滑された電圧は、降圧されて第１定電流回路７４ａから第２５定電流回路７４ｙに印加される。第１定電流回路７４ａから第２５定電流回路７４ｙのそれぞれは、、第１ＬＥＤモジュール７５ａから第２５ＬＥＤモジュール７５ｙのそれぞれに定電流を流し、各ＬＥＤモジュールのＬＥＤチップを発光させる。本実施形態では、それぞれのＬＥＤモジュールに１６個のＬＥＤチップが直列に接続されているので、光源ユニット１１としては４００個のＬＥＤチップ４１が発光する。
【００３０】
図５に光源ユニット１１のＬＥＤチップ４１からの光の経路（光線５１）の例を示す。光源ユニット１１のＬＥＤチップ４１からの光線５１は、反射膜１５に反射しながら集束していき、放射体５１へと導かれる。本実施形態では、導光体１４は、光源ユニット１１から放射体１３へ行くほど細くなる形状を有しており、かつ、この形状は導光体１４の内部が凹む凹形状となっているので、ＬＥＤチップ４１からの放射が光源ユニット１１に戻る確率が少なくなる。したがって、効率よく、導光体１１の先端にある放射体１３へ集光される。集光された光は、図６の放射体１３の拡大図が示すように、放射体１３の表面に施された凹凸処理により散乱し、四方八方に全立体角（導光体１４からの光入射部を除く）に放射される。
【００３１】
本実施形態では、放射体１３の直径が１ｍｍなので表面積は０．５ｍｍ２であり、光源ユニット１１からの導光体１４への入射面積が面積２５００ｍｍ２（＝５０×５０ｍｍ）であるので、光源ユニット１１のＬＥＤチップ４１から放射された光は、光学的ロスがないと仮定すれば１／５０００の面積に集光される。すなわち、面積比が輝度比になると考えると、ＬＥＤモジュールの輝度と比較して、本実施の形態の散乱部からは約５０００倍の輝度の点光源を得ることができる。
【００３２】
このように高い輝度を得られることによって、種々の用途に使用することができる。特に高い輝度の点光源が要求される用途として、反射鏡と組み合わせた光源装置、特に液晶プロジェクタ等の画像表示装置用の光源がある。以下に画像表示装置用の光源について説明する。なお、反射鏡と組み合わせたＬＥＤ光源のことを、「ＬＥＤ照明器具」と以降称する。
【００３３】
図９に本実施の形態のＬＥＤ光源と反射鏡と組み合わせたＬＥＤ照明器具９００の模式的な斜視図を示す。また、図９のＬＥＤ照明器具９００の断面図を図１０に示す。図９、図１０は、図１のＬＥＤ光源１００と反射鏡９１を備える点のみで相違する。説明の簡略化のため、図１と同一構成は同一符号を付して説明を省略する。
【００３４】
図９において、放射体１３が反射鏡９１の焦点に位置するように反射鏡９１とＬＥＤ光源１００とを位置決めしている。反射鏡９１は、回転楕円面反射鏡や回転放物線面反射鏡などを使用することができる。本実施形態では、回転放物線面の反射鏡を用いた。また、反射鏡９１の開口部の大きさは５０ｍｍ×５０ｍｍのものを用いた。
【００３５】
放射体１３から放射された光は、反射鏡９１への光を含む。すなわち、放射体１３からは反射鏡９１へ向けて光が放射される。反射鏡９１に放射された光は、反射鏡９１の表面で反射して、平行光が放射される。平行光は、図１５に示すように、液晶表示素子１５０１に照射され、液晶表示素子１５０１を透過した光ががレンズ１５０２によってスクリーンなどの結像される。
【００３６】
本実施形態では、放射体１３は直径１ｍｍなので非常に小さな点光源を得ることができる。この光源の大きさは、現行の放電ランプを使用した液晶プロジェクタとして得られる光源の大きさと同等である。さらに、本実施形態では、放射体１３の大きさを変更することで光源の大きさを自由に調整することができる効果を、従来の放電ランプよりも自由にかつ簡単に実現できる。
【００３７】
さらに、光源ユニット１１のＬＥＤチップ４１の数を増せば、集光できる光量を更に増加させることも簡単に実現できる。
【００３８】
比較のために、従来技術で紹介されている方法（特許文献１）を用いた場合について以下、考察する。一般的なφ３ｍｍの砲弾型白色ＬＥＤを用いて、同等の光量を得ようとするならば、反射鏡の中に本実施の形態と同数の４００個のＬＥＤを配置する必要がある。
【００３９】
以下、砲弾型ＬＥＤを配置した場合のＬＥＤ球の大きさを求める。ＬＥＤ１個あたりの占有面積は９ｍｍ２（＝３ｍｍ×３ｍｍ）として、反射鏡９１に向かって砲弾型ＬＥＤを半球状に並べると仮定する。砲弾型ＬＥＤを並べる球の半径をｒとすると、πｒ２／２（ｍｍ２）＝９（ｍｍ２）×４００（個）となり、半径ｒは４７．９（ｍｍ）となる。つまり、砲弾型ＬＥＤを半径４７．９ｍｍ（直径９５．８ｍｍ）の巨大な球状に並べる必要がある。したがって、５０×５０ｍｍの大きさの反射鏡９１の焦点には到底入れることができない。また、仮に、本実施の形態の反射鏡９１の大きさと光源の大きさとの関係をそのまま従来の砲弾型ＬＥＤの上記関係に適用すると、光源１ｍｍに対して反射鏡の開口５０ｍｍ角であったので、従来の方法を用いた場合、反射鏡の大きさは５０００ｍｍ×５０００ｍｍ角にもなってしまい、現実的でない。もちろん、従来の場合においても反射鏡を小さくすることは可能であるが、光源の影が大きくなり集光効率が低下するといった課題も発生するのは明らかであり、この方法も現実的ではない。
【００４０】
以上のように、光源ユニット１１のＬＥＤチップからの光を導光体１４によって１ｍｍ径の放射体１３に集光させ、集光した光を放射体１３から反射鏡へ向けて放射させることにより、光量の少ないＬＥＤチップ４１を用いた場合においても、高輝度高光量の点光源を実現することができる。
【００４１】
なお、本実施形態では、略球形状の放射体１３を用いたが、円柱形状や四角柱形状であっても反射鏡に対して光を放射して、かつ、点光源と見なすことができる大きさであれば使用することができる。ただし、点光源を目指すなら放射体１３は略球形状であることが好ましい。
【００４２】
また、本実施形態では、ＬＥＤモジュール３１の反射板４３（反射板上面４３ａ，反射板凹面４３ｂ）のみ反射機能を備えた。しかし、基板４３の導光体１４に露出している部分にも反射機能を備えると、反射膜１５から戻ってきた光を再び放射体１３方向へ反射させる割合も多くなり、放射体１３の輝度もより向上する。
【００４３】
また、本実施形態では、画像表示素子１５０１として液晶を用いたが、マイクロミラーデバイス（ＤＭＤ）であっても構わない。
【００４４】
また、光源ユニット１１の冷却のための構造を設けても良い。冷却構造を用いたＬＥＤ光源１４００の一例を図１４に示す。ＬＥＤ光源１４００は、図１のＬＥＤ光源１００の光源ユニット１１に冷却フィン１４１を取り付け、冷却フィン１４１に更にファン１４２を取り付けている。ファン１４２を駆動することで矢印Ｆ１方向の風の流れを作り、冷却フィン１４１に入る矢印Ｆ２の風の作る。この矢印Ｆ２の風により、フィン１４１は急冷され、光源ユニット１１を強制冷却することができる。光源ユニット１１が冷却されることで、光源ユニット１１に配置されたＬＥＤチップ４１を冷却することができ、ＬＥＤチップ４１により多くの電流を流してＬＥＤチップ４１から多くの光を放射させることができる。
【００４５】
（実施形態２）
本実施形態のＬＥＤ照明器具１１００を図１１に示す。ＬＥＤ照明器具１１００は、実施形態１のＬＥＤ照明器具９００の導光部１４に直線部１１１を設けたことのみ相違する。ＬＥＤ照明器具９００と同一構成は、同一符号を付して説明を省略する。
【００４６】
本実施形態は、導光体１４に直線部１１１を設けている。この直線部１１１を有することで、反射鏡９１との接着部とを直線形状とすることができる。反射鏡９１からの光取り出し効率を向上させるためには、放射体１３を反射鏡９１の焦点に位置させる必要がある。しかし、製造ばらつきにより、反射鏡９１の焦点の位置や導光体１４の形状がばらつく。本実施形態では導光体１４に直線部１１１を設けたことにより、反射鏡９１と導光体１４との取付の際に、反射鏡９１を直線部１１１に沿って移動させることができ、反射鏡９１の焦点と放射体１３との位置関係を調整できる。したがって、製造ばらつきによって、反射鏡９１や導光体１４が多少ばらついても、放射体１３の位置を調整できるので、反射鏡９１からの光の放射を向上させることができる。
【００４７】
（実施形態３）
実施形態１のＬＥＤ光源装置の放射体１３の変形例を図１２、図１３に示す。本実施形態では、実施形態１のＬＥＤ光源１００の放射体１３の構造のみ相違する。ＬＥＤ光源１００と同一構造は、同一符号を付して説明を省略する。
【００４８】
本実施形態は、放射部１３に反射体１２１を設けている。図１２（ａ）は放射体１３付近の斜視図であり、図１２（ｂ）は放射体１３付近の断面図である。図１２に示す放射体１３の先端には、反射体１２１が取り付けられている。また、放射体１３は、実施形態１と異なり、表面に凹凸処理などの拡散処理は施されておらず、透明である。導光体１４で集光された光源ユニット１１からの光は、放射体１３を透過して反射体１２１に当たる。反射体１２１に当たった光は、反射体１２１で反射して側面方向に放射される。放射体１３が反射鏡の焦点に位置していた場合には、反射体１２１によって反射鏡に向かって光が反射され、更に反射鏡によって所定の方向に光が進む。本実施形態の場合、導光体１４の集光軸方向に放射される光を反射鏡の方向に放射できるため、反射鏡に向かわず放射されていた不要な光を所定の方向に放射でき、光の利用効率が向上させることができる。なお、本実施形態では、反射体１２１はアルミニウムで形成した。
【００４９】
図１３に本実施形態の変形例を示す。図１３（ａ）は放射体１３付近の斜視図であり、図１３（ｂ）は放射体１３付近の断面図である。図１３の放射体１３は、先端が円錐形状で窪んでいる。その窪んだ部分にアルミニウムからなる反射体１３１が形成されている。本変形例は、放射体１３に窪んだ円錐形状をしているため、図１２の放射体１３と比較して、導光体１４で集光された光を再び導光体１４に戻すことなく、反射鏡に向けて反射させることができる。
【産業上の利用可能性】
【００５０】
本発明のＬＥＤ光源は、高効率、小型、高輝度の点光源が得られるので、反射鏡などと組み合わせてＬＥＤのプロジェクタなどの小型の光源として特に有用である。
【図面の簡単な説明】
【００５１】
【図１】（ａ）は本発明の実施の形態１におけるＬＥＤ光源１００の斜視図、（ｂ）は本発明の実施の形態１におけるＬＥＤ光源１００のＡ方向の側面図
【図２】本発明の実施の形態１におけるＬＥＤ光源１００の断面図
【図３】本発明の実施の形態１における光源ユニット１１の模式図
【図４】（ａ）は本発明の実施の形態１におけるＬＥＤモジュール３１の上面図、（ｂ）は本発明の実施の形態１におけるＬＥＤモジュール３１の断面図
【図５】本発明の実施の形態１における導光体１４の光線５１の経路を示す図
【図６】本発明の実施の形態１における放射体１３付近の拡大図
【図７】本発明の実施の形態１における点灯回路図
【図８】本発明の実施の形態１におけるＬＥＤモジュール７５ａの回路図
【図９】本発明の実施の形態１におけるＬＥＤ照明器具９００の斜視図
【図１０】本発明の実施の形態１におけるＬＥＤ照明器具９００の断面図
【図１１】本発明の実施の形態２におけるＬＥＤ照明器具１１００の断面図
【図１２】（ａ）は本発明の実施の形態３の放射体１３付近の斜視図、（ｂ）は本発明の実施の形態３の放射体１３付近の断面図
【図１３】（ａ）は本発明の実施の形態３の放射体１３付近の斜視図、（ｂ）は本発明の実施の形態３の放射体１３付近の断面図
【図１４】本発明の実施の形態１のＬＥＤ光源１４００の斜視図
【図１５】本発明の実施の形態１の画像表示装置の模式図
【図１６】従来のＬＥＤを使った照明装置を示す図
【図１７】従来のＬＥＤを使った歯科用光照射器を示す図
【符号の説明】
【００５２】
１１    光源ユニット
１３    放射部
１４    導光体
１５    反射膜
３１    ＬＥＤモジュール
４１    ＬＥＤチップ
４２    基板
４３    反射板
９１    反射鏡
１００    ＬＥＤ光源
９００    ＬＥＤ照明器具
１２１，１３１    反射体
１４１    冷却フィン
１４２    ファン
【図１】
2005327660.tif 000003
【図２】
2005327660.tif 000004
【図３】
2005327660.tif 000005
【図４】
2005327660.tif 000006
【図５】
2005327660.tif 000007
【図６】
2005327660.tif 000008
【図７】
2005327660.tif 000009
【図８】
2005327660.tif 000010
【図９】
2005327660.tif 000011
【図１０】
2005327660.tif 000012
【図１１】
2005327660.tif 000013
【図１２】
2005327660.tif 000014
【図１３】
2005327660.tif 000015
【図１４】
2005327660.tif 000016
【図１５】
2005327660.tif 000017
【図１６】
2005327660.tif 000018
【図１７】
2005327660.tif 000019